(57)【特許請求の範囲】
【請求項１】
天板とシンクのフランジ部との間に設けられるスペーサーであって、
前記天板の下面に設けられるスペーサー部と、
該スペーサー部から延びる連結プレート部と、
該連結プレート部により前記スペーサー部と連結され、前記天板の下面に設けられた裏貼材の下面に固定される固定部と、を備え、
前記連結プレート部の接続部は、前記スペーサー部と前記固定部とを分離可能に連結することを特徴とするスペーサー。
【発明の詳細な説明】
【技術分野】
【０００１】
本発明は、スペーサーに関するものである。
【背景技術】
【０００２】
従来から、システムキッチン等には、調理等の作業面を有する天板と、調理器具等の洗浄を行うシンクと、を有するカウンターが設置されている。この天板とシンクとの取付構造としては、シンクの底部から立設された側壁部の上端部から折り返されたフランジ部が、天板の下面にシリコーン等の接着剤により固定された構造が知られている。
【０００３】
また、フランジ部の端部において、フランジ部と天板との間にスペーサーが設けられたものや、フランジ部の上面に天板側に向かって突出する凸部を設けたものが提案されている（下記特許文献１参照）。特許文献１に記載のカウンターでは、スペーサーやフランジ部に設けられた凸部により、フランジ部と天板との間に設けられた接着剤の厚みが、スペーサーの厚みや凸部の厚みと同じになる。また、特許文献１に記載のカウンターでは、天板の下面に設けられた桟に固定された金具の端部が、フランジ部を天板に向かって押圧している。フランジ部における金具の端部が押圧する部分と天板との間には、接着剤が設けられている。
【０００４】
また、フランジ部の上面に下方に向かって凹む凹部が形成され、凹部に塗布された接着剤により、フランジ部と天板とが接着されたものも提案されている（下記特許文献２参照）。特許文献２に記載のカウンターでは、凹部の深さにより接着剤の厚みが管理される構成とされている。
【先行技術文献】
【特許文献】
【０００５】
【特許文献１】特開２００６−２９１６１０号公報
【特許文献２】特開平１０−１８３７１８号公報
【発明の概要】
【発明が解決しようとする課題】
【０００６】
しかしながら、上記の特許文献１に記載のカウンターでは、フランジ部における金具の端部が押圧する部分と天板との間には接着剤が設けられているため、金具の押圧力が大きいと接着剤の厚みが薄く、押圧力が小さいと接着剤の厚みが厚くなるため、接着剤の厚みを管理することが困難であるという問題点がある。
また、特許文献２に記載のカウンターでは、シンクに凹部を施さなくてはならないため、加工が煩雑であり、シンクの材料によってはシンクに凹部加工を施すことが困難である等の問題点がある。
【０００７】
そこで、本発明は、上記事情に鑑みてなされたものであり、シンクに加工を施すことなく、シンクと天板との間に設けられる接着剤の厚みを一定に管理することができるスペーサーを提供する。
【課題を解決するための手段】
【００１２】
また、本発明に係るスペーサーは、天板とシンクのフランジ部との間に設けられるスペーサーであって、前記天板の下面に設けられるスペーサー部と、該スペーサー部から延びる連結プレート部と、該連結プレート部により前記スペーサー部と連結され、前記天板の下面に設けられた裏貼材の下面に固定される固定部と、を備え、前記連結プレート部の接続部は、前記スペーサー部と前記固定部とを分離可能に連結することを特徴とする。
【００１３】
このように構成されたスペーサーは、フランジ部と天板との間に配置されている。このスペーサーは天板側に固定されているため、スペーサーが位置ずれ等することがない。よって、フランジ部と天板との間に設けられたスペーサーにより、シンクに加工を施すことなく、シンクと天板との間に設けられる接着剤の厚みを一定に管理することができる。
また、例えばキッチンカウンターの前側等固定部が不要な箇所においては、固定部を分離させ、スペーサー部のみを設置することができるため、利便性が良い。
【発明の効果】
【００１６】
本発明に係るスペーサーによれば、シンクに加工を施すことなく、シンクと天板との間に設けられる接着剤の厚みを一定に管理することができる。
【図面の簡単な説明】
【００１７】
【図１】本発明の一実施形態に係るカウンターの斜視図である。
【図２】図１のＡ−Ａ断面図である。
【図３】本発明の一実施形態に係るカウンターにおいて、スペーサーの配置を示すための平面図である。
【図４】本発明の一実施形態に係るカウンターにおいて、スペーサー及び押圧部材の構成を示す分解斜視図である。
【発明を実施するための形態】
【００１８】
以下、カウンターの一例として、本発明の一実施形態に係るキッチンユニットについて説明する。
図１は、本発明の一実施形態に係るキッチンユニットの斜視図である。
図１に示すように、キッチンユニット１００は、床面に設けられたキャビネット１と、キャビネット１の上部に設けられ作業面（上面）２Ｕを有する天板２と、調理器具等（不図示）の洗浄を行うシンク３と、を備えている。天板２と、シンク３とがカウンター１０を構成している。
ここで、便宜上、利用者がキッチンユニット１００に対向する側（図１に示す紙面左手前側）を前側と称し、前側と反対側（図１に示す紙面右奥側）を後側と称する。また、前後方向に直交する二方向のうち、水平方向に延びる方向（図１に示す紙面左奥側から紙面右手前側に向かう方向）を左右方向と称する。
【００１９】
（キャビネット）
キャビネット１は、内部に物品（不図示）が収容可能とされている。キャビネット１の構成としては、前部に開閉可能な扉（不図示。以下同じ。）が設けられた構成や、複数の引出し（不図示。以下同じ。）が設けられた構成や、扉と引出しとが組み合わせて設けられた構成等適宜選択可能である。
【００２０】
（天板）
天板２は、板状に形成され、水平面に沿って配置されている。天板２は、平面視矩形状に形成されている。天板２には、シンク３が配置されるための開口部２Ｓが形成されている。本実施形態では、天板２は、セラミックにより構成されている。なお、天板２は、人工大理石、ステンレス等の他の材料により構成されていてもよい。また、天板２には、開口部２Ｔも形成され、開口部２Ｔにコンロ２１が設けられていてもよい。
【００２１】
図２は、図１のＡ−Ａ断面図である。
図２に示すように、天板２の下面２Ｄには、下面２Ｄに沿って補強部２４が層状に設けられている。本実施形態では、補強部２４はガラス繊維により構成されている。補強部２４は、天板２の開口部２Ｓの縁部２Ｅには設けられていない。これにより、利用者が天板２の縁部２Ｅに触れてしまった場合でも、補強部２４を構成するガラス繊維に触れて怪我等をすることがない。
【００２２】
天板２の前部において、天板２の下面２Ｄには、エプロン部２２が設けられている。エプロン部２２は、板状に形成され、鉛直面に沿って配置されている。
【００２３】
天板２の下面２Ｄには、裏貼材２６が設けられている。本実施形態では、裏貼材２６は、合板により構成されている。
【００２４】
天板２の前側では、裏貼材２６の下部に、前見付材２７が設けられている。前見付材２７の下面２７Ｄには、化粧が施された化粧板２８が設けられている。これにより、利用者がカウンター１０の下方の覗き込んだ場合でも、前見付材２７の化粧された下面２７Ｄが見えるため、見栄えが損なわれることがない。
【００２５】
（スペーサー）
図３は、カウンター１０において、スペーサーの配置を示すための平面図である。図４は、カウンター１０において、スペーサー及び押圧部材の構成を示す分解斜視図である。
図２、図３に示すように、天板２とシンク３との間には、スペーサー４が設けられている。スペーサー４は、天板２の開口部２Ｓの縁部２Ｅに沿って、間隔を有して複数配置されている。
【００２６】
図２、図４に示すように、スペーサー４は、天板２の下面２Ｄに設けられるスペーサー部４０と、スペーサー部４０から延びる連結プレート部５０と、連結プレート部５０によりスペーサー部４０と連結され裏貼材２６の下面２６Ｄに設けられる固定部６０と、を有している。
【００２７】
スペーサー部４０は、天板２の下面２Ｄと裏貼材２６の鉛直面に沿う端面２６Ｔとの角部２６Ｖに沿って一方向に直線状に配置される第一直線状部４１と、第一直線状部４１の両端部から該第一直線状部４１と交差する方向に延びる斜行部４２と、を有している。
【００２８】
さらに、スペーサー部４０は、第一直線状部４１の中間部４１Ｍと一対の斜行部４２の先端４２Ａとを連結する連結部４３を有している。
【００２９】
これら第一直線状部４１、斜行部４２及び連結部４３は、天板２の下面２Ｄに沿って配置されている。また、第一直線状部４１、斜行部４２及び連結部４３により、天板２の下方から見て三角形状をなす貫通孔４０Ｓが一対形成されている。
【００３０】
また、第一直線状部４１及び一対の斜行部４２により三角形状が形成されているため、スペーサー部４０の先端４２Ａ側の幅は、基端側の幅（第一直線状部４１の長さ）よりも狭く形成されている。
【００３１】
また、第一直線状部４１、斜行部４２及び連結部４３には、上方及び下方にそれぞれ突出するリブ４０Ｒが設けられている。
【００３２】
連結プレート部５０は、第一直線状部４１の両端部から湾曲して形成された第一湾曲部５１と、一対の第一湾曲部５１からそれぞれ延び裏貼材２６の端面２６Ｔに沿って配置される第一延出部５２と、一対の第一延出部５２，５２の端部同士を連結し直線状部に沿って配置された第二直線状部５３と、を有している。
【００３３】
これら第一直線状部４１、一対の第一湾曲部５１，５１、一対の第一延出部５２，５２及び第二直線状部５３により、貫通孔５０Ｓが形成されている。
【００３４】
これら第一湾曲部５１、第一延出部５２及び第二直線状部５３にわたって、その幅方向の両端部には、裏貼材２６の端面２６Ｔと直交する方向に配置される第一側壁部５４がそれぞれ設けられている。
【００３５】
さらに、連結プレート部５０は、第二直線状部５３の端部（下端部）の幅方向両端部にそれぞれ接続された接続部５６を有している。
【００３６】
固定部６０は、連結プレート部５０の各接続部５６に接続され裏貼材２６の端面２６Ｔに沿って配置される第二延出部６１と、第二延出部６１の端部から湾曲して形成された第二湾曲部６２と、第二湾曲部６２の端部から屈曲し第二湾曲部６２端部同士を連結するように形成された取付壁部６３と、を有している。
【００３７】
接続部５６の表面には、裏貼材２６側に向かって凹む凹部５６Ａが形成されている。これにより、接続部５６の板厚は、第二直線状部５３の板厚及び第二延出部６１の板厚よりも小さく設定されている。よって、接続部５６において、スペーサー４が、スペーサー部４０及び連結プレート部５０側と、固定部６０側とで分離可能とされている。
【００３８】
取付壁部６３は、裏貼材２６の下面２６Ｄに平行に配置されている。取付壁部６３の幅方向の両端部には、裏貼材２６の端面２６Ｔと直交する方向に配置される第二側壁部６４がそれぞれ設けられている。
【００３９】
取付壁部６３には、板厚方向に貫通する取付孔６３Ｘが設けられている。取付壁部６３には、取付孔６３Ｘに連続して、筒状のネジ支持壁部６５が設けられている。
【００４０】
なお、天板２の前側では、上記に示すスペーサー４の接続部５６が分離された状態で設けられている。つまり、天板２の前側では、スペーサー部４０と、連結プレート部５０の第一湾曲部５１、第一延出部５２及び第二直線状部５３とが設けられている。
【００４１】
（シンク）
シンク３は、平面視矩形状に形成された底部３１と、底部３１の端部から立設された側壁部３２と、側壁部３２の上端部から平面視外方に向かって折曲された段部３３と、段部３３の端部から立設された立設壁部３４と、を有している。これら底部３１、側壁部３２、段部３３及び立設壁部３４が、シンク本体３０を構成している。本実施形態では、シンク３は、人工大理石、ステンレス等の材料により構成されていてもよい。
【００４２】
さらに、シンク３は、立設壁部３４の上端部から平面視外方に向かって折曲されたフランジ部３６と、フランジ部３６の端部から平面視外方に向かうにしたがって次第に下方に向かうように形成された返し壁部３７と、を有している。
【００４３】
シンク３の後側及び左右側において、シンク３のフランジ部３６は、押さえ金具７（押圧部材）により天板２に向かって押圧されている。
【００４４】
押さえ金具７は、スペーサー４の取付壁部６３とともに裏貼材２６にネジ止めされるネジ止めプレート部７０と、ネジ止めプレート部７０の端部からＵ字状に形成されたＵ字状部８０と、Ｕ字状部８０から上方に延びる押さえプレート部９０と、を有している。押さえプレート部９０は、上方に向かうにしたがって次第に幅寸法が小さくなるように形成されている。
【００４５】
さらに、ネジ止めプレート部７０には、スペーサー４の第二延出部６１に沿って配置される支持壁部７１を有している。
【００４６】
上記の押さえ金具７において、ネジ止めプレート部７０には、上下方向に貫通する取付孔７０Ｘが形成されている。この取付孔７０Ｘに挿通されたネジ７０Ｚは、スペーサー４の取付壁部６３の取付孔６３Ｘ及びネジ支持壁部６５に挿通され、裏貼材２６に螺合されている。
【００４７】
裏貼材２６に取り付けられた押さえ金具７の押さえプレート部９０の先端部９０Ａは、シンク３のフランジ部３６を押圧している。フランジ部３６における押さえプレート部９０の先端部９０Ａにより押圧された押圧部分３６Ｐの直上には、スペーサー４のスペーサー部４０が配置されている。本実施形態では、押圧部分３６Ｐの直上には、スペーサー部４０の先端４２Ａが配置されている。
【００４８】
天板２の下面２Ｄと、シンク３のフランジ部３６の上面３６Ｔ及び返し壁部３７の上面３７Ｔと、裏貼材２６の端面２６Ｔとで形成された空間部Ｓ１には、接着剤Ｔ１が塗布されている。接着剤Ｔ１は、スペーサー４の貫通孔４０Ｓ及び貫通孔５０Ｓにも入り込んでいる。
【００４９】
さらに、シンク３の後側及び左右側では、シンク３の立設壁部３４と、フランジ部３６と、裏貼材２６の端面２６Ｔとで形成された空間部Ｓ２には、ウレタンＵが充填されている。
【００５０】
また、シンク３の前側では、フランジ部３６の下部にコマ材３８が設けられている。このコマ材３８は、シンク３の前側に塗布された接着剤Ｔ１が硬化するまで、コマ材３８と天板２とで、シンク３の前側のフランジ部３６を挟むために利用される。接着剤Ｔ１が硬化した後、シンク３の立設壁部３４と、フランジ部３６と、裏貼材２６の端面２６Ｔとで形成された空間部Ｓ２において、ウレタンＵが充てんされる。これにより、コマ材３８はウレタンＵと一体的に設けられる。
【００５１】
さらに、天板２と、エプロン部２２と、裏貼材２６と、前見付材２７とにより形成された空間部Ｓ３には、接着剤Ｔ３が塗布されている。
【００５２】
また、天板２の下面２Ｄとスペーサー４のスペーサー部４０とシンク３のフランジ部３６の上面３６Ｔとで形成された空間部Ｓ４には、コーキングＴ４が塗布されている。
【００５３】
上記に示すカウンター１０において、天板２にシンク３と取り付ける作業について説明する。まず、天板２を裏返して、天板２の下面２Ｄが上方を向くように作業台（不図示）や床（不図示）上に配置する。天板２の下面２Ｄに、裏貼材２６を接着剤（不図示）等により固定する。
【００５４】
図２に示すように、天板２の下面２Ｄにスペーサー４を配置する。この際に、スペーサー４のスペーサー部４０を天板２の下面２Ｄに沿わせ、連結プレート部５０を裏貼材２６の端面２６Ｔに沿わせ、固定部６０を裏貼材２６の下面２６Ｄに沿わせる。このように、連結プレート部５０を裏貼材２６の端面２６Ｔに沿わすことで、スペーサー４の位置決めがされる。
【００５５】
次に、天板２の下面２Ｄにおいて、開口部２Ｓの縁部２Ｅに沿って、接着剤Ｔ１を塗布する。
【００５６】
次に、シンク３のフランジ部３６がスペーサー４のスペーサー部４０に載るように、シンク３を配置する。この際に、返し壁部３７の先端部とスペーサー４の第一延出部５２との距離や、返し壁部３７の先端部とスペーサー４の第一側壁部５４との距離により、シンク３を天板２に対して位置決めすることができる。
【００５７】
次に、ネジ止めプレート部７０を裏貼材２６にネジ止めして、押さえ金具７の押さえプレート部９０でシンク３のフランジ部３６を押圧する。そして、シンク３のフランジ部３６を覆うようにウレタンＵを充填する。
【００５８】
このように構成されたキッチンユニット１００では、押さえ金具７は、フランジ部３６を天板２に向かって押圧する。押さえ金具７により押圧されるフランジ部３６の押圧部分３６Ｐと天板２との間には、スペーサー４が配置されている。よって、フランジ部３６と天板２との間に設けられたスペーサー４が押さえ金具７の押圧力を負担するため、フランジ部３６と天板２との間に設けられた接着剤Ｔ１の厚みが押圧力により変動することが抑えられる。したがって、シンク３に加工を施すことなく、シンク３と天板２との間に設けられる接着剤Ｔ１の厚みを一定に管理することができる。これにより、シンク３のフランジ部３６を周方向にわたって均一に接着させることができるとともに、外部からの振動や衝撃を周方向にわたって吸収することができる。
例えば、天板が加工の難しいセラミックで構成されている場合には、特許文献２に記載のように、天板に凹部を加工して接着剤の厚みを一定にする方法を採用することが難しいため、本発明の構成は特に有効である。
【００５９】
また、固定部６０とともに押さえ金具７を天板２側に固定すればよいため、押さえ金具７を天板２側に固定する位置が、固定部６０を見れば分かり、スペーサー４により位置決めされる。
【００６０】
また、カウンター１０の前側には、前見付材２７が設けられており押さえ金具７を配置する場所がないため、スペーサー４のスペーサー部４０を配置することができない。このような場合には、スペーサー４の接続部５６で固定部６０を分離させ、スペーサー部４０のみを設置することができるため、利便性が良い。
【００６１】
また、スペーサー４のスペーサー部４０が、天板２の縁部２Ｅからセットバックしているので、天板２の縁部２Ｅ側からスペーサー４が見えにくい。よって、キッチンユニット１００の体裁を良好とすることができる。
【００６２】
また、スペーサー部４０の先端４２Ａ側の幅は、基端側の幅（第一直線状部４１の長さ）よりも狭く形成されている。よって、Ｖ字状に形成された一対の斜行部４２の幅方向外側にも接着剤Ｔ１を塗布することができるため、接着剤Ｔ１の接着面積を大きく確保することができる。さらに、接着剤Ｔ１は、スペーサー４の貫通孔４０Ｓ及び貫通孔５０Ｓの上部に入り込むため、接着剤Ｔ１の接着面積を大きく確保することができ、接着力を向上させることができる。
【００６３】
なお、上述した実施の形態において示した各構成部材の諸形状や組み合わせ等は一例であって、本発明の主旨から逸脱しない範囲において設計要求等に基づき種々変更可能である。
【００６４】
例えば、上記に示す実施形態においては、スペーサー４を天板２の下面２Ｄに設けられた裏貼材２６に固定しているが、本発明はこれに限られない。スペーサー４は天板２側に固定されればよく、天板２に直接固定されていてよい。
【００６５】
また、スペーサーは、天板とフランジ部との間に設けられていれば、第一側壁部５４や固定部６０が設けられていなくてもよい。
【符号の説明】
【００６６】
１…キャビネット
２…天板
２Ｅ…縁部
２Ｓ…開口部
２Ｕ…作業面
３…シンク
４…スペーサー
７…押さえ金具（押圧部材）
１０…カウンター
２６…裏貼材
２７…前見付材
３０…シンク本体
３６…フランジ部
３６Ｐ…押圧部分
４０…スペーサー部
４３…連結部
６０…固定部
１００…カウンター
Ｔ１…接着剤
Ｕ…ウレタン
【図１】
0006580837.tif 000002
【図２】
0006580837.tif 000003
【図３】
0006580837.tif 000004
【図４】
0006580837.tif 000005